(57)【特許請求の範囲】
【請求項１】
アナログラジオ放送とデジタルラジオ放送とを受信するラジオ放送受信装置であって、
前記アナログラジオ放送の放送サービスと前記デジタルラジオ放送の放送サービスとのうちの、受信出力対象放送サービスとして設定された放送サービスを受信し、当該放送サービスで受信した音声を出力する受信出力部と、
前記受信出力対象放送サービスと同内容の放送を行っている、前記受信出力対象放送サービス以外の、当該ラジオ放送受信装置が受信可能なアナログラジオ放送の放送サービスである代替アナログ放送サービスと、前記受信出力対象放送サービスと同内容の放送を行っている、前記受信出力対象放送サービス以外の、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、
所定の契機で、前記受信出力部に設定する受信出力対象放送サービスを切り替える切替制御部とを有し、
前記切替制御部は、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスに、前記受信出力部に設定する受信出力対象放送サービスを切り替え、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスに、前記受信出力部に設定する受信出力対象放送サービスを切り替え、
前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスに、前記受信出力部に設定する受信出力対象放送サービスを切り替えることを特徴とするラジオ放送受信装置。
【請求項２】
請求項１記載のラジオ放送受信装置であって、
前記代替放送サービス検出部は、前記各代替アナログ放送サービスの受信品質と、前記各代替デジタル放送サービスの受信品質を検出し、
前記切替制御部は、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスのうちの受信品質が最良の代替デジタル放送サービスに、前記受信出力部に設定する受信出力対象放送サービスを切り替え、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスのうちの受信品質が最良の代替アナログ放送サービスに、前記受信出力部に設定する受信出力対象放送サービスを切り替えることを特徴とするラジオ放送受信装置。
【請求項３】
請求項１または２記載のラジオ放送受信装置であって、
前記切替制御部は、
前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスのうちの受信品質が最良の代替デジタル放送サービスに、前記受信出力部に設定する受信出力対象放送サービスを切り替えることを特徴とするラジオ放送受信装置。
【請求項４】
請求項１、２または３記載のラジオ放送受信装置であって、
前記所定の契機は、前記受信出力部における前記受信出力対象放送サービスの受信品質の所定レベル未満の受信品質への劣化の発生であることを特徴とするラジオ放送受信装置。
【請求項５】
アナログラジオ放送とデジタルラジオ放送とを受信するラジオ放送受信装置であって、
前記アナログラジオ放送の放送サービスと前記デジタルラジオ放送の放送サービスとのうちの、受信出力対象放送サービスとして設定された放送サービスを受信し、当該放送サービスで受信した音声を出力する受信出力部と、
受信及び音声の出力を開始する放送サービスとして指定された放送サービスを着目放送サービスとして、当該着目放送サービスと同内容の放送を行っている、当該ラジオ放送受信装置が受信可能なアナログラジオ放送の放送サービスである代替アナログ放送サービスと、前記着目放送サービスと同内容の放送を行っている、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、
前記受信出力部に前記受信出力対象放送サービスを設定する受信出力対象放送サービス設定部とを有し、
前記受信出力対象放送サービス設定部は、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスを、受信出力対象放送サービスとして前記受信出力部に設定し、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスを、受信出力対象放送サービスとして前記受信出力部に設定し、
前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスを、受信出力対象放送サービスとして前記受信出力部に設定することを特徴とするラジオ放送受信装置。
【請求項６】
アナログラジオ放送とデジタルラジオ放送とを受信するラジオ放送受信装置であって、
前記アナログラジオ放送の放送サービスと前記デジタルラジオ放送の放送サービスとのうちの、受信出力対象放送サービスとして設定された放送サービスを受信し、当該放送サービスで受信した音声を出力する受信出力部と、
前記受信出力対象放送サービスと同内容の放送を行っている、前記受信出力対象放送サービス以外の、当該ラジオ放送受信装置が受信可能なアナログラジオ放送の放送サービスである代替アナログ放送サービスと、前記受信出力対象放送サービスと同内容の放送を行っている、前記受信出力対象放送サービス以外の、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、
所定の契機で、前記受信出力部に設定する受信出力対象放送サービスを切り替える切替制御部とを有し、
前記切替制御部は、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスに、前記受信出力部に設定する受信出力対象放送サービスを切り替え、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスに、前記受信出力部に設定する受信出力対象放送サービスを切り替え、
前記所定の基準は、前記アナログラジオ放送が放送する音声の標準的な音声品質を表すものであることを特徴とするラジオ放送受信装置。
【請求項７】
アナログラジオ放送とデジタルラジオ放送とを受信するラジオ放送受信装置であって、
前記アナログラジオ放送の放送サービスと前記デジタルラジオ放送の放送サービスとのうちの、受信出力対象放送サービスとして設定された放送サービスを受信し、当該放送サービスで受信した音声を出力する受信出力部と、
前記受信出力対象放送サービスと同内容の放送を行っている、前記受信出力対象放送サービス以外の、当該ラジオ放送受信装置が受信可能なアナログラジオ放送の放送サービスである代替アナログ放送サービスと、前記受信出力対象放送サービスと同内容の放送を行っている、前記受信出力対象放送サービス以外の、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、
所定の契機で、前記受信出力部に設定する受信出力対象放送サービスを切り替える切替制御部とを有し、
前記切替制御部は、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスに、前記受信出力部に設定する受信出力対象放送サービスを切り替え、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスに、前記受信出力部に設定する受信出力対象放送サービスを切り替え、
前記所定の基準は、モノラル音声の音声品質は、当該所定の基準未満の音声品質であるとする基準であることを特徴とするラジオ放送受信装置。
【請求項８】
請求項１、２、３、４または５記載のラジオ放送受信装置であって、
前記所定の基準は、所定のビットレート未満のビットレートの圧縮符号化されたオーディオストリームとして放送される音声の音声品質は、当該所定の基準未満の音声品質であるとする基準であることを特徴とするラジオ放送受信装置。
【請求項９】
アナログラジオ放送とデジタルラジオ放送とを受信するラジオ放送受信装置であって、
前記アナログラジオ放送の放送サービスと前記デジタルラジオ放送の放送サービスとのうちの、受信出力対象放送サービスとして設定された放送サービスを受信し、当該放送サービスで受信した音声を出力する受信出力部と、
前記受信出力対象放送サービスと同内容の放送を行っている、前記受信出力対象放送サービス以外の、当該ラジオ放送受信装置が受信可能なアナログラジオ放送の放送サービスである代替アナログ放送サービスと、前記受信出力対象放送サービスと同内容の放送を行っている、前記受信出力対象放送サービス以外の、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、
所定の契機で、前記受信出力部に設定する受信出力対象放送サービスを切り替える切替制御部とを有し、
前記切替制御部は、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスに、前記受信出力部に設定する受信出力対象放送サービスを切り替え、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスに、前記受信出力部に設定する受信出力対象放送サービスを切り替え、
前記所定の基準は、オーディオチャネル数がステレオ以上であり、所定のビットレート以上のビットレートの圧縮符号化されたオーディオストリームとして放送される音声の音声品質は、当該所定の基準以上の音声品質であるとする基準であることを特徴とするラジオ放送受信装置。
【請求項１０】
請求項１、２、３、４、５、６、７、８または９記載のラジオ放送受信装置であって、
前記アナログラジオ放送は、RDS（Radio  Data  System）によってデータが音声に多重化されて放送されるFM放送であり、
前記デジタルラジオ放送は、DAB(Digital  Audio  Broadcasting)であることを特徴とするラジオ放送受信装置。
【請求項１１】
請求項１、２、３、４、５、６、７、８、９または１０記載のラジオ放送受信装置であって、
当該ラジオ放送受信装置は、自動車に搭載されたラジオ放送受信装置であることを特徴とするラジオ放送受信装置。
【請求項１２】
アナログラジオ放送の放送サービスとデジタルラジオ放送の放送サービスとのうちの、受信出力対象放送サービスとして設定された放送サービスを受信し、当該放送サービスで受信した音声を出力する受信出力部を備えたラジオ放送受信装置において、受信出力対象放送サービスとする放送サービスを設定する受信放送サービス設定方法であって、
前記受信出力対象放送サービスと同内容の放送を行っている、前記受信出力対象放送サービス以外の、当該ラジオ放送受信装置が受信可能なアナログラジオ放送の放送サービスである代替アナログ放送サービスと、前記受信出力対象放送サービスと同内容の放送を行っている、前記受信出力対象放送サービス以外の、当該ラジオ放送受信装置が受信可能なデジタルラジオ放送の放送サービスである代替デジタル放送サービスと、前記各代替デジタル放送サービスで放送される音声の音声品質とを検出する代替放送サービス検出ステップと、
所定の契機で、前記受信出力部に設定する受信出力対象放送サービスを切り替える切替制御ステップとを有し、
前記切替制御ステップにおいて、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスに、前記受信出力部に設定する受信出力対象放送サービスを切り替え、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスに、前記受信出力部に設定する受信出力対象放送サービスを切り替え、
前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスに、前記受信出力部に設定する受信出力対象放送サービスを切り替えることを特徴とする受信放送サービス設定方法。
【請求項１３】
アナログラジオ放送の放送サービスとデジタルラジオ放送の放送サービスとのうちの、受信出力対象放送サービスとして設定された放送サービスを受信し、当該放送サービスで受信した音声を出力する受信出力部を備えたラジオ放送受信装置において、受信出力対象放送サービスとする放送サービスを設定する受信放送サービス設定方法であって、
受信及び音声の出力を開始する放送サービスとして指定された放送サービスを着目放送サービスとして、当該着目放送サービスと同内容の放送を行っている、当該ラジオ放送受信装置が受信可能なアナログラジオ放送の放送サービスである代替アナログ放送サービスと、前記着目放送サービスと同内容の放送を行っている、当該ラジオ放送受信装置が受信可能なデジタルラジオ放送の放送サービスである代替デジタル放送サービスと、前記各代替デジタル放送サービスで放送される音声の音声品質とを検出する代替放送サービス検出ステップと、
前記受信出力部に前記受信出力対象放送サービスを設定する受信出力対象放送サービス設定ステップとを有し、
前記受信出力対象放送サービス設定ステップにおいて、
前記代替デジタル放送サービスのうちに、所定の基準以上の音声品質の音声を放送する代替デジタル放送サービスが存在する場合には、当該所定の基準以上の音声品質の音声を放送する代替デジタル放送サービスを、受信出力対象放送サービスとして前記受信出力部に設定し、
前記代替デジタル放送サービスのうちに、所定の基準以上の音声品質の音声を放送する代替デジタル放送サービスが存在せず、前記代替アナログ放送サービスが存在する場合には、当該代替アナログ放送サービスを、受信出力対象放送サービスとして前記受信出力部に設定し、
前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスを、受信出力対象放送サービスとして前記受信出力部に設定するすることを特徴とする受信放送サービス設定方法。
【発明の詳細な説明】
【技術分野】
【０００１】
本発明は、主として、異なる複数の放送規格のラジオ放送を受信するラジオ放送受信装置において、受信中の放送サービスから、当該放送サービスと同内容の放送を行っている放送サービスに、受信対象を切り替える技術に関するものである。
【背景技術】
【０００２】
異なる複数の放送規格のラジオ放送を受信するラジオ放送受信装置において、受信中の放送サービスから、当該放送サービスと同内容の放送を行っている放送サービス(受信中の放送サービスとサイマル放送の関係にある放送サービス)に、受信対象を切り替える技術としては、DAB（デジタルオーディオ放送：Digital Audio Broadcasting）とFM放送とを受信するラジオ放送受信装置において、受信中の放送サービスから、当該放送サービスと同内容の放送を行っているDABの放送サービス（サービス）やFM放送の放送サービス（周波数チャネル）に受信対象を切り替える技術が知られている（たとえば、特許文献１-５）。
【先行技術文献】
【特許文献】
【０００３】
【特許文献１】特開２０１３-１２０９６７号公報
【特許文献２】特開２０１２-２４９２７７号公報
【特許文献３】特開２００１-３０８７３２号公報
【特許文献４】特開２０１２-２４９２７７号公報
【特許文献５】特開２０００-１３４１１９号公報
【発明の概要】
【発明が解決しようとする課題】
【０００４】
デジタル化した音声を放送するDABのサービスで放送される音声は、アナログ音声を放送するFM放送のサービスで放送される音声よりも伝送による劣化が小さい。そして、このために、同内容の放送を行っているDABの放送サービスとFM放送の放送サービスとが存在する場合には、DABのサービスを優先的に利用することが行われている。
【０００５】
しかしながら、DABの放送サービスのうちには、モノラル音声を放送する放送サービスや、低ビットレートの符号化音声データなどの、FM放送の放送音声よりも音声品質の低い音声を放送する放送サービスが存在する。
【０００６】
そして、これらのようなFM放送の放送音声よりも音声品質の低い音声を放送するDABの放送サービスと、当該DABの放送サービスと同内容の放送を行っているFM放送の放送サービスが存在する場合に、当該DABの放送サービスを優先的に利用すると、却って、FM放送の放送サービスを利用した場合よりも、ユーザに対して出力する音声の品質を低下させてしまうこととなる。
【０００７】
そこで、本発明は、異なる複数の放送規格のラジオ放送を受信するラジオ放送受信装置において、受信しユーザに対して出力する音声の品質の劣化を抑制することを課題とする。
【課題を解決するための手段】
【０００８】
前記課題達成のために、本発明は、アナログラジオ放送とデジタルラジオ放送とを受信するラジオ放送受信装置に、前記アナログ放送の放送サービスと前記デジタルラジオ放送の放送サービスとのうちの、受信出力対象放送サービスとして設定された放送サービスを受信し、当該放送サービスで受信した音声を出力する受信出力部と、前記受信出力対象放送サービスと同内容の放送を行っている、前記受信出力対象放送サービス以外の、当該ラジオ放送受信装置が受信可能なアナログラジオ放送の放送サービスである代替アナログ放送サービスと、前記受信出力対象放送サービスと同内容の放送を行っている、前記受信出力対象放送サービス以外の、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、所定の契機で、前記受信出力部に設定する受信出力対象放送サービスを切り替える切替制御部とを備えたものである。ここで、前記切替制御部は、前記代替デジタル放送サービスのうちに、所定の基準以上の音声品質の音声を放送する代替デジタル放送サービスが存在する場合には、当該所定の基準以上の音声品質の音声を放送する代替デジタル放送サービスに、前記受信出力部に設定する受信出力対象放送サービスを切り替え、前記代替デジタル放送サービスのうちに、所定の基準以上の音声品質の音声を放送する代替デジタル放送サービスが存在せず、前記代替アナログ放送サービスが存在する場合には、当該代替アナログ放送サービスに、前記受信出力部に設定する受信出力対象放送サービスを切り替える。
【０００９】
ここで、このようなラジオ放送受信装置は、前記切替制御部において、前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスに、前記受信出力部に設定する受信出力対象放送サービスを切り替えるように構成してもよい。
【００１０】
また、このようなラジオ放送受信装置は、前記代替放送サービス検出部において、前記各代替アナログ放送サービスの受信品質と、前記各代替デジタル放送サービスの受信品質を検出し、前記切替制御部において、前記代替デジタル放送サービスのうちに、所定の基準以上の音声品質の音声を放送する代替デジタル放送サービスが存在する場合には、当該所定の基準以上の音声品質の音声を放送する代替デジタル放送サービスのうちの受信品質が最良の代替デジタル放送サービスに、前記受信出力部に設定する受信出力対象放送サービスを切り替え、前記代替デジタル放送サービスのうちに、所定の基準以上の音声品質の音声を放送する代替デジタル放送サービスが存在せず、前記代替アナログ放送サービスが存在する場合には、当該代替アナログ放送サービスのうちの受信品質が最良の代替アナログ放送サービスに、前記受信出力部に設定する受信出力対象放送サービスを切り替えるように構成してもよい。
【００１１】
また、この場合には、前記切替制御において、前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスのうちの受信品質が最良の代替デジタル放送サービスに、前記受信出力部に設定する受信出力対象放送サービスを切り替えるようにしてもよい。
【００１２】
ここで、以上のラジオ放送受信装置において、前記所定の契機は、前記受信出力部における前記受信出力対象放送サービスの受信品質の所定レベル未満の受信品質への劣化の発生であってもよい。
【００１３】
また、前記課題達成のために、本発明は、アナログラジオ放送とデジタルラジオ放送とを受信するラジオ放送受信装置に、前記アナログ放送の放送サービスと前記デジタルラジオ放送の放送サービスとのうちの、受信出力対象放送サービスとして設定された放送サービスを受信し、当該放送サービスで受信した音声を出力する受信出力部と、受信及び音声の出力の対象とされた放送サービスを着目放送サービスとして、当該着目放送サービスと同内容の放送を行っている、当該ラジオ放送受信装置が受信可能なアナログラジオ放送の放送サービスである代替アナログ放送サービスと、前記着目放送サービスと同内容の放送を行っている、当該ラジオ放送受信装置が受信可能なデジタルラジオ放送の放送サービスである代替デジタル放送サービスと、前記各代替デジタル放送サービスで放送される音声の音声品質とを検出する代替放送サービス検出部と、前記受信出力部に前記出力対象放送サービスを設定する受信出力対象放送サービス設定部とを備えたものである。ここで、前記受信出力対象放送サービス設定部は、前記代替デジタル放送サービスのうちに、所定の基準以上の音声品質の音声を放送する代替デジタル放送サービスが存在する場合には、当該所定の基準以上の音声品質の音声を放送する代替デジタル放送サービスを、受信出力対象放送サービスとして前記受信出力部に設定し、前記代替デジタル放送サービスのうちに、所定の基準以上の音声品質の音声を放送する代替デジタル放送サービスが存在せず、前記代替アナログ放送サービスが存在する場合には、当該代替アナログ放送サービスを、受信出力対象放送サービスとして前記受信出力部に設定する。
【００１４】
ここで、このようなラジオ放送受信装置は、前記切替制御部において、前記代替デジタル放送サービスのうちに、所定の基準未満の音声品質の音声を放送する代替デジタル放送サービスのみが存在し、前記代替アナログ放送サービスが存在しない場合には、前記所定の基準未満の音声品質の音声を放送する代替デジタル放送サービスを、受信出力対象放送サービスとして前記受信出力部に設定するように構成してもよい。
【００１５】
ここで、以上のラジオ放送受信装置において、前記所定の基準は、前記アナログラジオ放送が放送する音声の標準的な音声品質を表すものとすることが好ましい。
また、以上のラジオ放送受信装置において、前記所定の基準は、モノラル音声の音声品質は、当該所定の基準未満の音声品質であるとする基準であってもよい。
また、以上のラジオ放送受信装置において、前記所定の基準は、所定のビットレート未満のビットレートの圧縮符号化されたオーディオストリームとして放送される音声の音声品質は、当該所定の基準未満の音声品質であるとする基準であってもよい。
【００１６】
また、以上のラジオ放送受信装置において、前記所定の基準は、オーディオチャネル数がステレオ以上であり、所定のビットレート以上のビットレートの圧縮符号化されたオーディオストリームとして放送される音声の音声品質は、当該所定の基準以上の音声品質であるとする基準であってもよい。
【００１７】
さて、ここで、以上のラジオ放送受信装置において、前記アナログラジオ放送は、RDS（Radio Data System）によってデータが音声に多重化されて放送されるFM放送であってよく、前記デジタルラジオ放送は、DAB(Digital Audio Broadcasting)であってよい。
【００１８】
また、以上のラジオ放送受信装置は、自動車に搭載されたラジオ放送受信装置であってもよい。
以上のようなラジオ放送受信装置によれば、受信すべき内容を放送している受信可能な放送サービスの集合中に、所定の基準以上の音声品質の音声を放送するデジタルラジオ放送の放送サービスやアナログラジオ放送の放送サービスが含まれている場合には、当所定の基準以上の音声品質の音声を放送するデジタルラジオ放送の放送サービスやアナログラジオ放送の放送サービスを、受信品質の優劣に関わらずに、当該集合に含まれる所定の基準未満の音声品質の音声を放送するデジタル放送の放送サービスよりも、優先的に受信出力する放送サービスに設定する。
【００１９】
したがって、ユーザに対して出力する音声の品質の劣化を抑制することができる。
【発明の効果】
【００２０】
以上のように、本発明によれば、異なる複数の放送規格のラジオ放送を受信するラジオ放送受信装置において、受信しユーザに対して出力する音声の品質の劣化を抑制することができる。
【図面の簡単な説明】
【００２１】
【図１】本発明の実施形態に係るラジオ放送受信装置の構成を示すブロック図である。
【図２】本発明の実施形態に係るサービスリストとステーションリストとリンクテーブルを示す図である。
【図３】本発明の実施形態に係るFM放送受信出力中代替放送切替処理を示すフローチャートである。
【図４】本発明の実施形態に係るDAB受信出力中代替放送切替処理を示すフローチャートである。
【図５】本発明の実施形態に係る受信対象放送設定処理を示すフローチャートである。
【発明を実施するための形態】
【００２２】
以下、本発明の実施形態について説明する。
図１に、本実施形態に係るラジオ受信装置の構成を示す。
図示するように、ラジオ放送受信機は、自動車に搭載されるラジオ受信機やポータブルラジオ受信機などの、ラジオ放送受信機の位置が変動するラジオ放送受信機である。
そして、図示するように、ラジオ放送受信機は、２系統のデジタルラジオ受信部１、２系統のアナログラジオ受信部２、セレクタ３、オーディオ信号処理部４、スピーカ５、制御部６、表示部７、操作部８、メモリ９を備えている。
【００２３】
ここで、デジタルラジオ受信部１は、DAB(Digital Audio Broadcasting)またはDAB+の放送規格によるラジオ放送を受信する受信部であり、DABフロントエンド１１（DAB F/E）、DABデコーダ１２、オーディオデコーダ１３を備えている。
【００２４】
また、アナログラジオ受信部２は、FM放送の放送規格によるラジオ放送を受信する受信部であり、FMフロントエンド（FM F/E）２１、FM復調部２２、RDSデコーダ２３を備えている。
【００２５】
さて、ここで、DABでは、一つの周波数チャネルで、各々が一つの音声放送の放送サービスに相当するサービスを複数放送することができ、各サービスは、当該サービスによって放送されるサービス識別子SID（Service Identifier）によって識別される。また、同じ周波数チャネルで放送されるサービスの集まりをアンサンブルと呼ぶ。
【００２６】
そして、デジタルラジオ受信部１は、放送サービスの受信動作として、以下のようなサービスの受信動作を行う。
すなわち、サービスの受信動作において、デジタルラジオ受信部１のDABフロントエンド１１は、DAB受信チャネルとして設定された周波数チャネルのDABを受信し、受信データをDABデコーダ１２に送る。DABデコーダ１２は、DABフロントエンド１１から送られた受信データのうちから、DAB受信サービスとして設定されたサービスで受信した圧縮符号化されたオーディオデータストリームをオーディオデコーダ１３に送ると共に、DAB受信チャネルで放送されている各サービスのサービス識別子SIDやサービスリンキング情報を制御部６に送る。そして、オーディオデコーダ１３は、DABデコーダ１２から送られたオーディオデータストリームをデコードし、デコードしたオーディオデータをセレクタ３に出力する。また、DABフロントエンド１１やDABデコーダ１２は、DAB受信チャネルの受信電界強度やSN比や受信データの誤り率などの、DABのサービスの受信品質に係る情報を受信品質情報として制御部６に通知する。また、オーディオデコーダ１３は、DABデコーダ１２から送られた圧縮符号化されたオーディオデータストリームのビットレート、オーディオデータストリームが表すオーディオのステレオ/モノラルといったオーディオチャネル数、サンプリング周波数などの、オーディオデータの音声品質に関わる情報を音声品質情報として制御部６に通知する。
【００２７】
以上のデジタルラジオ受信部１のサービスの受信動作において、DAB受信チャネルで放送を行っているサービスのうちの、DAB受信サービスとして設定されたサービスが、当該受信動作の対象のサービスに該当する。
【００２８】
次に、FM放送では、一つ周波数チャネルで行われる放送が一つの音声放送の放送サービスに相当する。
そして、アナログラジオ受信部２は、放送サービスの受信動作として、以下のようなFM放送の周波数チャネルの受信動作を行う。
すなわち、周波数チャネルの受信動作において、アナログラジオ受信部２のFMフロントエンド２１は、FM受信チャネルとして設定された周波数チャネルを受信し、受信信号をFM復調部２２に送る、FM復調部２２は受信信号から音声信号を復調し、復調した音声信号を表すオーディオデータをセレクタ３に送る。また、FM復調部２２は、受信信号に、RDS（Radio Data System）によって音声信号に多重化されて送信されたデータ信号が含まれている場合には、これをRDSデコーダ２３に送り、RDSデコーダ２３はデータ信号からデータをデコードし制御部６に送る。ここで、RDSデコーダ２３が制御部６に送るデータには、FM受信チャネルとして設定された周波数チャネルからFM放送される番組（プログラム）の識別子となるPI(Program Identification)や、AF(Alternative Frequencies)などが含まれる。また、FMフロントエンド２１は、FM受信チャネルの受信電界強度やSN比などの、FM受信チャネルのFM放送の受信品質に係る情報を受信品質情報として制御部６に通知する。
【００２９】
なお、以上のアナログラジオ受信部２のFM放送の周波数チャネルの受信動作において、FM受信チャネルで放送を行っている周波数チャネルが受信動作の対象の周波数チャネルに該当する。
【００３０】
ここで、制御部６は、デジタルラジオ受信部１から通知されたサービスの受信品質情報から、そのデジタルアナログラジオ受信部１が受信動作を行っているDABのサービスの受信品質を算定し、アナログラジオ受信部２から通知された受信品質情報から、そのアナログラジオ受信部２が受信動作を行っているFM放送の周波数チャネルの受信品質を算定する。
【００３１】
さて、DABのサービスで放送される内容と、当該サービスのSIDと一致するPIのプログラムを放送しているFM放送の周波数チャネルは、同内容の番組（プログラム）を放送している。
【００３２】
また、FM放送の周波数チャネルから受信するAFは、その周波数チャネルと同じ番組を放送している周波数チャネルの周波数を示す。また、DABで放送されているサービスリンキング情報は、同じ番組を放送しているDABのサービス、FM放送の周波数チャネルの情報を示す。また、FM放送の周波数チャネルで、その周波数チャネルと同じ番組を放送しているDABのサービスの情報がODA情報として含まれることもある。
【００３３】
したがって、制御部６は、DABのサービスのSID、FM放送の周波数チャネルのPI、FM放送で受信するAF、DABで受信するサービスリンキング情報、FM放送で受信するODA情報に基づいて、番組毎に、同内容の番組を放送しているDABのサービス、FM放送の周波数チャネルを知得することができる。
【００３４】
さて、このようなラジオ受信機の構成において、制御部６は、表示部７を用いた適当なユーザインタフェースで、ユーザから操作部８を介した特定のDABのサービスの受信の要求が発生したならば、受信を要求されたサービスを、受信及び音声を出力する放送サービスである受信対象放送に設定し、受信対象放送の受信と音声の出力を開始する。
【００３５】
また、制御部６は、表示部７を利用した適当なユーザインタフェースで、ユーザから操作部８を介して特定のFM放送の周波数チャネルの受信の要求が発生したならば、受信を要求された周波数チャネルを受信対象放送に設定し、受信対象放送の受信と音声の出力を開始する。
【００３６】
ここで、受信対象放送の設定は以下のように行う。
すなわち、制御部６は、DABのサービスを受信対象放送として設定する場合には、いずれか一つのデジタルラジオ受信部１を現用受信部に設定し、当該サービスが含まれるアンサンブルの周波数チャネルをDAB受信チャネルとして、現用受信部のDABフロントエンド１１に設定し、当該サービスをDAB受信サービスとして、DABデコーダ１２に設定することにより当該サービスの受信動作を現用受信部に設定したデジタルラジオ受信部１に行わせる。また、制御部６は、セレクタ３に、現用受信部のオーディオデコーダ１３から入力するオーディオデータをオーディオ信号処理部４に出力させる。そして、オーディオ信号処理部４は、セレクタ３を介して入力するオーディオデータの、周波数特性の調整やデジタルアナログ変換や増幅を行ってスピーカら出力する。
【００３７】
ここで、この結果、ユーザが受信を要求したDABのサービスが受信対象放送に設定され、受信対象放送で放送されている音声がスピーカ５からユーザに出力されることとなる。
また、制御部６は、FM放送の周波数チャネルを受信対象放送として設定する場合には、いずれか一つのアナログラジオ受信部２を現用受信部に設定し、当該FM放送の周波数チャネルの周波数をFM受信チャネルとして、現用受信部のFMフロントエンド２１に設定することにより、当該周波数チャネルの受信動作を現用受信部に設定したアナログラジオ受信部２に行わせる。また、制御部６は、セレクタ３に、現用受信部のFM復調部２２から入力するオーディオデータをオーディオ信号処理部４に出力させる。そして、オーディオ信号処理部４は、セレクタ３を介して入力するオーディオデータの、周波数特性の調整やデジタルアナログ変換や増幅を行ってスピーカスピーカら出力する。
【００３８】
ここで、この結果、ユーザが受信を要求したFM放送が受信対象放送に設定され、受信対象放送で放送されている音声がスピーカ５からユーザに出力されることとなる。
次に、本実施形態においてメモリ９に格納するサービスリストとステーションリストとリンクテーブルについて説明する。
図２ａに示すようにサービスリストは、SIDの値毎に対応して設けられたSIDテーブルよりなり、各SIDテーブルには、対応するSIDの値が登録される。また、SIDテーブルは、対応するSIDのサービスのうちの、現在受信可能なサービスの各々に対応して設けられたエントリを備え、各エントリには、対応するサービスを含むアンサンブルを放送している周波数チャネルの周波数と、対応するサービスの受信品質と、対応するサービスで放送されているオーディオの音声品質を表す音声品質情報とが登録される。ここで音声品質情報としては、対応するサービスで放送される圧縮符号化されたオーディオデータストリームのビットレート、当該オーディオデータストリームが表すオーディオのステレオ/モノラルといったオーディオチャネルのチャネル数、サンプリング周波数などを登録する。
【００３９】
次に、図２ｂに示すように、ステーションリストは、PIの値毎に対応して設けられたPIテーブルよりなり、各PIテーブルには、対応するPIの値が登録される。また、PIテーブルは、対応するPIの番組を放送しているFM放送の周波数チャネルのうちの、現在受信可能な周波数チャネルの各々に対応して設けられたエントリを備え、各エントリに対応する周波数チャネルの周波数と受信品質とが登録される。
【００４０】
次に、図２ｃに示すようにリンクテーブルには、同じ番組を放送しているDABのサービスのSIDと、FM放送の周波数チャネルのPIとが対応づけて登録されている。ここで、以下では、リンクテーブルにおいて、あるSIDに対応づけられているPIを、そのSIDにリンクしているPIと呼び、リンクテーブルにおいて、あるPIに対応づけられているSIDを、そのPIにリンクしているSIDと呼ぶこととして説明を行う。
【００４１】
さて、このような構成において、制御部６は、現用受信部に設定していないデジタルラジオ受信部１を用いて、受信可能なDABのサービスの各々の受信品質をチェックし、サービスリストを更新する処理を繰り返し行う。また、制御部６は、現用受信部に設定していないアナログラジオ受信部２を用いて、受信可能なFM放送の周波数チャネルの各々の受信品質をチェックし、ステーションリストを更新する処理を繰り返し行う。
【００４２】
ここで、受信可能なDABのサービスの各々の受信品質をチェックし、サービスリストを更新する処理は、DABが行われ得る各周波数を順次対象周波数とし、各対象周波数について、以下の受信品質チェック処理を行うことにより実行する。
【００４３】
すなわち、受信品質チェック処理では、現用受信部に設定していないデジタルラジオ受信部１の一つをバックグランドDAB受信部として、バックグランドDAB受信部に、対象周波数をDAB受信チャネルとして設定して対象周波数の周波数チャネルの受信動作を行わせると共に、これにより上述のように、バックグランドDAB受信部のDABフロントエンド１１やDABデコーダ１２から通知される受信品質情報から対象周波数の受信品質を算定し、算定した受信品質が所定のしきい値より良好でなければ、対象周波数が周波数として登録されているSIDテーブルのエントリを探索し、そのエントリを削除する。ここで、しきい値としては、受信品質がしきい値より良好な周波数チャネルであれば、その周波数チャネルのDABのサービスで放送されている音声を、正常に受信、出力できることを保証できる値を設定する。
【００４４】
一方、算定した受信品質が所定のしきい値より良好であれば、対象周波数の周波数チャネルで放送されている各サービスのSIDをDABデコーダ１２から取得し、取得した各SIDのサービスを順次対象サービスとして、次のサービスチェック処理を行う。
【００４５】
すなわち、サービスチェック処理では、DABデコーダ１２に対象サービスをDAB受信サービスとして設定して、対象サービスの受信動作を行わせ、これにより上述のように、オーディオデコーダ１３から通知される音声品質情報を取得し、対象サービスのSIDが登録されたSIDテーブルに、対象周波数を周波数として登録し、算定した対象周波数の受信品質を受信品質として登録し、取得した音声品質情報を音声品質情報として登録したエントリを追加する。但し、対象サービスのSIDが登録されたSIDテーブルに、対象周波数が周波数として既に登録されているエントリが存在する場合には、その周波数が登録されているエントリの、受信品質と音声品質情報を、算定した受信品質と取得した音声品質情報で更新する。
【００４６】
ただし、以上のサービスの受信品質のチェックは、DABのサービスを受信対象放送としている期間中には、受信対象放送と共に受信するサービスリンキング情報から求まる、受信対象放送としているサービスと同じ番組を放送しているサービスのみを対象として行い、FM放送の周波数チャネルを受信対象放送としている期間中には、受信対象放送としている周波数チャネルと同じ番組を放送しているサービスのみを対象として行うようにしてもよい。ここで、受信対象放送と同じ番組を放送しているサービスは、上述したリンクテーブルから求めることもできるし、受信対象放送と共に受信するODA情報や、バックグランドDAB受信部を用いて探索した、受信対象放送であるFM放送の周波数チャネルの情報を含むサービスリンキング情報から求めることができる。
【００４７】
次に、受信可能なFM放送の周波数チャネルの各々の受信品質をチェックし、ステーションリストを更新する処理は、FM放送が行われ得る各周波数を順次対象周波数とし、各対象周波数について、以下の受信品質チェック処理を行うことにより実行する。
【００４８】
すなわち、受信品質チェック処理では、現用受信部に設定していないアナログラジオ受信部２の一つをバックグランドFM受信部として、バックグランドFM受信部に、対象周波数をFM受信チャネルとして設定して対象周波数の周波数チャネルの受信動作を行わせると共に、これにより上述のように、バックグランドFM受信部のFMフロントエンド２１から通知される受信品質情報から、対象周波数の受信品質を算定し、算定した受信品質が所定のしきい値より良好であれば、バックグランドFM受信部のRDSデコーダ２３からPIを取得し、取得したPIが登録されたPIテーブルに、対象周波数を周波数として登録し、算定した受信品質を受信品質として登録したエントリを追加する。但し、取得したPIが登録されたPIテーブルに、対象周波数が周波数として既に登録されているエントリが存在する場合には、対象周波数数が登録されているエントリの受信品質を算定した受信品質で更新する。また、算定した受信品質が所定のしきい値より良好でなければ、対象周波数が周波数として登録されているPIテーブルのエントリを探索し、そのエントリを削除する。ここで、しきい値としては、受信品質がしきい良好な周波数チャネルであれば、その周波数チャネルで放送されている音声を、正常に受信、出力できることを保証できる値を設定する。
【００４９】
ただし、以上のFM放送の周波数チャネルの受信品質のチェックは、DABのサービスを受信対象放送としている期間中には、受信対象放送と共に受信するサービスリンキング情報から求まる、受信対象放送としているサービスと同じ番組を放送しているFM放送の周波数チャネルのみを対象として行い、FM放送の周波数チャネルを受信対象放送としている期間中には、受信対象放送としている周波数チャネルと同じ番組を放送しているFM放送の周波数チャネルのみを対象として行うようにしてもよい。ここで、受信対象放送としているFM放送の周波数チャネルと同じ番組を放送しているFM放送の周波数チャネルは、受信対象放送としている周波数チャネルから受信したAFによって求めることができる。
【００５０】
次に、制御部６は、現用受信部、バックグランドDAB受信部、バックグランドFM受信部を用いて、リンクテーブルを更新するリンクテーブル更新処理を繰り返し行う。
すなわち、制御部は、上述した受信可能なDABのサービスの受信品質のチェックの際に、受信可能なDABのサービスのSDIやサービスリンキング情報を取得すると共に、上述した受信可能なFM放送の周波数チャネルの受信品質のチェックの際に、受信可能なFM放送の周波数チャネルから当該周波数チャネルのPIやAFやODA情報を取得する。そして、取得した SDI、サービスリンキング情報、PI、AF、ODA情報と、現用受信部で受信対象放送から受信したSIとサービスリンキング情報（受信対象放送がDABのサービスであるとき）、または、PIとAFとODA情報（受信対象放送がFM放送の周波数チャネルであるとき）とを解析して、同じ番組を放送しているDABのサービスのSIDと、FM放送の周波数チャネルのPIとの対応を算定し、算定した対応に従って、SIDとPIとが対応づけられて登録されている状態となるようにリンクテーブルを更新する。
【００５１】
なお、簡易的には、リンクテーブルには、DABのサービスのSIDと、当該SIDと同じ値のPIのFM放送の周波数チャネルが対応するものとして、当該対応を表すように、リンクテーブルにSIDとPIとを対応づけて登録しておくようにしてもよい。
【００５２】
次に、制御部６は、受信対象放送の現用受信部を用いた受信とスピーカ５への出力を行っている期間中に、現用受信部の受信対象放送の受信品質を監視し、受信対象放送の受信品質が所定の判定レベルより低下したならば、受信対象放送と同じ番組を放送している他の放送に、受信対象放送を切り替える処理を行う。
【００５３】
すなわち、DABのサービスを受信対象放送として、DABのサービスの受信とスピーカ５への出力を行っている期間中に、受信対象放送の受信品質が判定レベルより低下したならば、DAB受信出力中代替放送切替処理を行い、FM放送の周波数チャネルの受信とスピーカ５への出力を行っている期間中に、受信対象放送の受信品質が判定レベルより低下したならば、FM放送受信出力中代替放送切替処理を行う。ここで、判定レベルは、近い将来に、受信対象放送の正常な受信、音声出力ができなくなることが予測できる受信品質のレベルとする。より具体的には、判定レベルは、たとえば、放送の正常な受信、音声出力ができなくなる受信品質のレベルに所定のマージンを加えたレベルとする。
【００５４】
以下、このようなDAB受信出力中代替放送切替処理と、FM放送受信出力中代替放送切替処理について説明する。
まず、DABのサービスの受信とスピーカ５への出力を行っている期間中に、受信対象放送の受信品質が判定レベルより低下したときに行うDAB受信出力中代替放送切替処理について説明する。
【００５５】
図３に示すように、DAB受信出力中代替放送切替処理において、制御部６は、受信対象放送として受信出力中のDABのサービスのSIDが登録されているSIDテーブルに、音声品質が所定の基準以上良好な、受信対象放送となっているサービス以外のサービスのエントリが存在するかどうかを調べる（ステップ３０２）。すなわち、ステップ３０２では、受信出力中のDABのサービスのSIDが登録されているSIDテーブルに、現用受信部において受信中の周波数チャネルの周波数以外の周波数が登録されているエントリであって、当該エントリに登録されている音声品質情報が示す音声品質が所定の基準以上良好なエントリが存在するかどうかを調べる。
【００５６】
ここで、所定の基準としては、標準的なFM放送の音声品質を用い、音声品質情報が示す音声品質が、標準的なFM放送の音声品質以上の音声品質であれば、その音声品質情報が示す音声品質は、所定の基準以上良好であると判定する。
【００５７】
より具体的には、たとえば、音声品質情報が示す音声品質が、オーディオチャネル数がステレオ（2Ch）以上であり、かつ、ビットレートが96kbps以上である場合に、その音声品質情報が示す音声品質は、所定の基準以上良好であると判定する。ただし、オーディオチャネル数やビットレートに加え、サンプリング周波数などの、音声品質に関わる他の諸元をさらに考慮して、音声品質情報が示す音声品質が、標準的なFM放送の音声品質（所定の基準）以上であるかどうかを判定するようにしてもよい。
【００５８】
さて、ステップ３０２でエントリが存在すると判定された場合には、存在したエントリのうちの登録されている受信品質が最良のエントリに対応するサービスに受信対象放送を切り替え、切り替え後の受信対象放送の受信、出力を開始し（ステップ３０４）、処理を終了する。
【００５９】
すなわち、ステップ３０４では、存在したエントリのうちの登録されている受信品質が最良のエントリに登録されている周波数の周波数チャネルをDAB受信チャネルとして現用受信部のDABフロントエンド１１に設定し、受信対象放送として受信出力中のDABのサービスのSIDと同じSIDのサービスをDAB受信サービスとして現用受信部のDABデコーダ１２に設定することにより、受信品質が最良のエントリに対応するサービスに受信対象放送を切り替え、切り替え後の受信対象放送の受信、出力を開始する。
【００６０】
一方、ステップ３０２でエントリが存在しないと判定された場合には、受信対象放送として受信出力中のDABのサービスのSIDとリンクしているPIが登録されているPIテーブルに周波数チャネルのエントリが存在するかどうかを調べる（ステップ３０６）。なお、受信対象放送として受信出力中のDABのサービスのSIDとリンクしているPIとは、上述のように、受信出力中のDABのサービスのSIDと対応づけてリンクテーブルに登録されているPIであり、当該PIのFM放送の周波数チャネルは、受信対象放送であるDABのサービスと同じ番組を放送している。
【００６１】
そして、エントリが存在する場合には（ステップ３０６）、存在したエントリのうちの登録されている受信品質が最良のエントリに対応するFM放送の周波数チャネルに受信対象放送を切り替え、切り替え後の受信対象放送の受信、出力を開始し（ステップ３０８）、処理を終了する。
【００６２】
すなわち、ステップ３０８では、現用受信部を、上述したバックグランドFM受信部として使用していない方のアナログラジオ受信部２に切り替え、現用受信部としたアナログラジオ受信部２のFMフロントエンド２１に、受信品質が最良のエントリに登録されている周波数をFM受信チャネルとして設定すると共に、セレクタ３に、現用受信部としたアナログラジオ受信部２のFM復調部２２から入力するオーディオデータをオーディオ信号処理部４に出力させることにより、受信品質が最良のエントリに対応する周波数チャネルに受信対象放送を切り替え、切り替え後の受信対象放送の受信、出力を開始する。
【００６３】
次に、ステップ３０６でエントリが存在しないと判定された場合には、受信対象放送として受信出力中のDABのサービスのSIDが登録されているSIDテーブルに、現用受信部において受信中の周波数チャネルの周波数以外の周波数が登録されているエントリが存在するかどうかを調べる（ステップ３１０）。
【００６４】
そして、エントリが存在する場合には（ステップ３１０）、存在したエントリのうちの登録されている受信品質が最良のエントリに対応するDABのサービスに受信対象放送を切り替え、切り替え後の受信対象放送の受信、出力を開始する（ステップ３１２）。
【００６５】
一方、エントリが存在しなかった場合には（ステップ３１０）、そのまま処理を終了する。
以上、制御部６が行うDABサービス受信出力中代替放送切替処理について説明した。
以下、制御部６が、FM放送の周波数チャネルを受信対象放送として、FM放送の周波数チャネルの受信とスピーカ５への出力を行っている期間中に、受信対象放送の受信品質が判定レベルより低下したときに行うFM放送受信出力中代替放送切替処理について説明する。
【００６６】
図４に示すように、FM放送受信出力中代替放送切替処理において、制御部６は、現用受信部が、受信対象放送として受信出力中のFM放送の周波数チャネルのPIとリンクしているSIDが登録されているSIDテーブルに、音声品質が前記所定の基準以上良好なサービスのエントリが存在するかどうかを調べる（ステップ４０２）。
【００６７】
すなわち、ステップ４０２では、現用受信部が、受信対象放送として受信出力中のFM放送の周波数チャネルのPIとリンクしているSIDが登録されているSIDテーブルに、音声品質情報が示す音声品質が前記所定の基準以上良好なエントリが存在するかどうかを調べる。なお、受信対象放送として受信出力中のFM放送の周波数チャネルのPIとリンクしているSIDとは、上述のように、受信出力中の周波数チャネルのPIと対応づけてリンクテーブルに登録されているSIDであり、当該SIDのDABのサービスは、受信対象放送であるFM放送の周波数チャネルと同じ番組を放送している。
【００６８】
そして、ステップ４０２でエントリが存在すると判定された場合には、存在したエントリのうちの登録されている受信品質が最良のエントリに対応するDABのサービスに受信対象放送を切り替え、切り替え後の受信対象放送の受信、出力を開始し（ステップ４０４）、処理を終了する。
【００６９】
すなわち、ステップ４０４では、現用受信部を、上述したバックグランドDAB受信部として使用していない方のデジタルラジオ受信部１に切り替え、現用受信部としたデジタルラジオ受信部１のDABフロントエンド１１に、存在したエントリのうちの登録されている受信品質が最良のエントリに登録されている周波数の周波数チャネルをDAB受信チャネルとして設定し、現用受信部のDABデコーダ１２に、受信出力中のFM放送の周波数チャネルのPIとリンクしているSIDのサービスをDAB受信サービスとして設定すると共に、セレクタ３に、現用受信部としたデジタルラジオ受信部１のオーディオデコーダ１３から入力するオーディオデータをオーディオ信号処理部４に出力させることにより、受信品質が最良のエントリに対応するサービスに受信対象放送を切り替え、切り替え後の受信対象放送の受信、出力を開始する。
【００７０】
一方、ステップ４０２でエントリが存在しないと判定された場合には、受信対象放送として受信出力中のFM放送の周波数チャネルのPIが登録されているPIテーブルに、現用受信部において受信中の周波数チャネルの周波数以外の周波数が登録されているエントリが存在するかどうかを調べる（ステップ４０６）。
【００７１】
そして、エントリが存在する場合には（ステップ４０６）、存在したエントリのうちの登録されている受信品質が最良のエントリに対応する周波数チャネルに受信対象放送を切り替え、切り替え後の受信対象放送の受信、出力を開始し（ステップ４０８）、処理を終了する。
【００７２】
すなわち、ステップ４０８では、現用受信部のFMフロントエンド２１に、受信品質が最良のエントリに登録されている周波数をFM受信チャネルとして設定することにより、受信品質が最良のエントリに対応する周波数チャネルに受信対象放送を切り替え、切り替え後の受信対象放送の受信、出力を開始する。
【００７３】
次に、ステップ４０６でエントリが存在しないと判定された場合には、受信対象放送として受信出力中のFM放送の周波数チャネルのPIとリンクしているSIDが登録されているSIDテーブルに、エントリが存在するかどうかを調べる（ステップ４１０）。
【００７４】
そして、エントリが存在する場合には（ステップ４１０）、存在したエントリのうちの登録されている受信品質が最良のエントリに対応するサービスに受信対象放送を切り替え、切り替え後の受信対象放送の受信、出力を開始する（ステップ４１２）。
【００７５】
一方、エントリが存在しなかった場合には（ステップ４１０）、そのまま処理を終了する。
以上、制御部６が行うFM放送受信出力中代替放送切替処理について説明した。
以上、本発明の実施形態について説明した。
以上のように、本実施形態によれば、受信出力中の放送サービスの受信品質が劣化したときに、同内容を放送している受信可能な放送サービスのうちに、所定の基準以上の音声品質の音声を放送しているDABのサービスがあれば、当該DABのサービスに受信出力する放送サービスを切り替える。また、同内容を放送している受信可能な放送サービスのうちに所定の基準以上の音声品質の音声を放送しているDABのサービスがなく、FM放送の周波数チャネルがある場合には、当該FM放送の周波数チャネルに受信出力する放送サービスを切り替える。そして、同内容を放送している受信可能な放送サービスのうちに、所定の基準未満の音声品質の音声を放送しているDABのサービスしかない場合は、当該DABのサービスに受信出力する放送サービスを切り替える。また、前記所定の基準は、標準的なFM放送の音声品質を表すものとしている。
【００７６】
すなわち、本実施形態に係るラジオ放送受信装置は、FM放送の音声品質未満の音声品質の音声を放送するDABのサービスが受信可能な場合でも、他に、FM放送の音声品質以上の音声品質の音声を放送するDABのサービスまたはFM放送の周波数チャネルを受信可能な場合には、当該FM放送の音声品質以上の音声品質の音声を放送するサービス/FM放送周波数チャネルを優先的に受信出力する。
【００７７】
したがって、本実施形態によれば、FM放送とDABとを受信するラジオ放送受信装置において、受信中の放送サービスから、当該放送サービスと同内容の放送を行っている放送サービスへの切り替えを、受信しユーザに対して出力する音声の品質ができるだけ劣化しないように行うことができる。
【００７８】
ところで、本実施形態に係る受信しユーザに対して出力する音声の品質ができるだけ劣化しないように受信出力する放送サービスを設定する技術は、ユーザから新たに受信対象放送とする放送サービスの指定を受け付け指定された放送サービスの受信と音声の出力を開始するときや、ラジオ放送受信機が起動されたときに、前回の動作時に受信していた放送サービスの受信と音声の出力を再開するときなどの、新たな番組（SID、PI）の受信及び音声出力を開始するときに、受信対象放送を設定する用途にも適用することができる。
【００７９】
すなわち、この場合には、出力を開始または再開する放送サービスを指定放送サービスとして、指定放送サービスと同内容を放送している受信可能な放送サービスのうちに、所定の基準以上の音声品質の音声を放送しているDABのサービスがあれば、当該DABのサービスを受信対象放送として設定する。また、同内容を放送している受信可能な放送サービスのうちに所定の基準以上の音声品質の音声を放送しているDABのサービスがなく、FM放送の周波数チャネルがある場合には、当該FM放送の周波数チャネルを、受信対象放送として設定する。また、同内容を放送している受信可能な放送サービスのうちに、所定の基準未満の音声品質の音声を放送しているDABのサービスしかない場合は、当該DABのサービスを、受信対象放送として設定する。
【００８０】
ここで、このような適用はより具体的には、新たな番組（SID、PI）の受信を開始するときに、図５に示す受信対象放送設定処理を行うことにより実現できる。
図示するように、受信対象放送設定処理において制御部６は、出力を開始または再開する放送サービスである指定放送サービスがFM放送の周波数チャネルであるかどうかを調べ（ステップ５０２）、FM放送の周波数チャネルである場合には、指定放送サービスである周波数チャネルのPIを対象IDに設定する（ステップ５０４）。一方、指定放送サービスがFM放送の周波数チャネルでない場合、すなわち、指定放送サービスがDABのサービスである場合には、指定されたDABのサービスのSIDを対象IDに設定する（ステップ５０６）。
【００８１】
そして、対象IDと値が同じ（対象IDがSIDの場合）、または、対象IDとリンクしているSID（対象IDがPIの場合）が登録されているSIDテーブルに、音声品質が前記所定の基準以上良好なサービスのエントリが存在するかどうかを調べる（ステップ５０８）。
【００８２】
そして、ステップ５０８でエントリが存在すると判定された場合には、存在したエントリのうちの登録されている受信品質が最良のエントリに対応するDABのサービスを、受信対象放送に設定し、上述のように設定した受信対象放送の受信、出力を開始し（ステップ５１０）、処理を終了する。
【００８３】
一方、ステップ５０８でエントリが存在しないと判定された場合には、対象IDと値が同じ（対象IDがPIの場合）、または、対象IDとリンクしているPI（対象IDがSIDの場合）が登録されているPIテーブルに周波数チャネルのエントリが存在するかどうかを調べる（ステップ５１２）。
【００８４】
そして、エントリが存在する場合には（ステップ５１２）、存在したエントリのうちの登録されている受信品質が最良のエントリに対応するFM放送の周波数チャネルを受信対象放送に設定し、上述のように設定した受信対象放送の受信、出力を開始し（ステップ５１４）、処理を終了する。
【００８５】
次に、ステップ５１２でエントリが存在しないと判定された場合には、対象IDと値が同じ（対象IDがSIDの場合）、または、対象IDとリンクしているSID（対象IDがPIの場合）が登録されているSIDテーブルに、DABのサービスのエントリが存在するかどうかを調べる（ステップ５１６）。
【００８６】
そして、エントリが存在する場合には（ステップ５１６）、存在したエントリのうちの登録されている受信品質が最良のエントリに対応するDABのサービスを、受信対象放送に設定し、上述のように設定した受信対象放送の受信、出力を開始し（ステップ５１８）、処理を終了する。
【００８７】
一方、エントリが存在しなかった場合には（ステップ５１６）、指定放送サービスを受信対象放送に設定し、受信対象放送の受信、出力を開始し（ステップ５２０）、処理を終了する。
【００８８】
このような受信対象放送設定処理によれば、出力を開始または再開する放送サービスである指定放送サービスと同じ内容を放送している受信可能な放送サービスの集合中に、所定の基準以上の音声品質の音声を放送するDABのサービスやFM放送の周波数チャネルが含まれている場合には、当所定の基準以上の音声品質の音声を放送するサービスやFM放送周波数チャネルを、受信品質の優劣に関わらずに、当該集合に含まれる所定の基準未満の音声品質の音声を放送するDABのサービスよりも、優先的に受信出力する放送サービスに設定する。
【００８９】
よって、ユーザに対して出力する音声の音声品質の劣化を抑制することができる。
【符号の説明】
【００９０】
１…デジタルラジオ受信部、２…アナログラジオ受信部、３…セレクタ、４…オーディオ信号処理部、５…スピーカ、６…制御部、７…表示部、８…操作部、９…メモリ、１１…DABフロントエンド、１２…DABデコーダ、１３…オーディオデコーダ、２１…FMフロントエンド、２２…FM復調部、２３…RDSデコーダ。
【図１】
0006509057.tif 000002
【図２】
0006509057.tif 000003
【図３】
0006509057.tif 000004
【図４】
0006509057.tif 000005
【図５】
0006509057.tif 000006